(57)【要約】      （修正有）【課題】安定に確実に水田に固定することができ、水面が波立っても傾いたり倒れたりせず、溢れた水により浮き上がりなどがなく、安定に水田を区切ることができる畦平を提供する。【解決手段】樹脂などにより形成され適度な厚みの長板が、山型に折り曲げられて、本体１４が形成されている。本体１４の長手方向断面形状は、適宜な幅で平坦な頭頂部１４ａが形成され、山型の２斜辺が等辺になるように形成されている。折り曲げ角度は、２斜辺の延長上で交差し形成される角度が、例えば、約４０°程度であれば良い。この本体１４の頭頂部１４ａには、本体１４の長手方向へ等間隔に、複数の空気抜き穴１６が設けられている。この空気抜き穴１６は、本体１４裏側へ貫通している。また、本体の長手方向両端部には、端部と平行で、断面がＶ字溝状の連結部１８がそれぞれ設けられている。この連結部１８は、２つの本体１４を、それぞれの端部に設けられた連結部１８の表側と裏側を重ね合わせることにより嵌合可能な形状に形成されている。【選択図】図１
0003118967.tif 000002
【実用新案登録請求の範囲】
【請求項１】
考案のアセ平です
図１を参考  田圃の作土の高低差の有る、均平の良くない水田では、現在アゼなみと言うものを使用して居ますが、色々とあまりうまく行かず、これに変われるもの、設置する時は三角の形の２側面を、作土の中に１５ｃｍほど差し込み、５ｃｍ前後を上にだし、そして水が入ると、アゼ平の頂上部を、全般に乗り越え、低い方に流れ、あぜには余り力が掛からず、２側面を斜めに作土に、差し込で有るから、水が下を潜たりあぜが倒れたりせず、安定した水管理が出来るものです。
【請求項２】
考案のアゼ平のつなぎ及び溝の部分
図２の１を参考  （図が小さくなるので実大で記入）
上記のアゼ平を何本もつなぎ、設置する為のものです、符号説明  Ａ。始めの設置した本体です、Ｂ。後でつぎ重ねた方です、Ｃ。６ｃｍで本体と後に重ね入れたものの、両方の重なり部分です、Ｄ。２ｃｍで溝から端まで、Ｅ。２ｃｍで溝の広さ、Ｆ。１ｃｍで溝の深さです、つなぎは本体で２ケ所両端に設けると、どちらを使っても、つぐ事が出来る、つぐ時は、上から側面の表の凹みのに、裏の凸の方を、上から押さえはめ込みつなぐ、
【請求項３】
アぜ平の頂上の空気と水抜きの穴の件
図３を参考  平面図  符号説明  １。考案のアゼ平の頂上部で、巾は２ｃｍです、そして直径２ｃｍの穴を３〜４ケ所空ける、これは水田に水はった時に、水と空気を抜き、設置したあぜの浮き上がりを、防止するものです。
【請求項４】
色々の広さに対応するため、直角のアゼ平です
図４  直角のものの平面図と図４の１で説明、符号１。一辺の長さ５０ｃｍ、２。つなぎ溝で、両端に設け、つなぎ部分の説明は、上記の請求２項の、図２の１の説明と同じ方法にします、３。空気と水抜きの穴で、一辺に２ケ所に設ける、この穴は直径２ｃｍです、Ａ。田圃の作土の高い側です、Ｂ。低い側です、Ｃ。アゼ平の一本ものと、つなぎ設置し水田の水面を、管理して居る所のずです。
【考案の詳細な説明】
【考案が解決しようとする課題】
【０００１】従来水田の作土の高低差のある田圃では、たいがえアゼ波とゆうものを当て、水面を調整して居ますが、水が溜まると圧力で、水が下をくぐったり、よく倒れたりなかなかうまく行かず、大変に苦労して居ます、それでこのアゼ波に変われる物で水の力をあまり受けないで田圃の水面を調整出来ないかと考えました、
【課題を解決するための手段】
【０００２】上記課題のアゼ波では全般に水の力が加わるが、私の考案は田圃の水が、ある程度溜まると、全般に考案のアゼを乗り越え、目的の水位が保たれ、アゼにもあまり力が加わらず、そして倒れたりもしません、
【考案の効果】
【０００３】１、今迄のアゼ波とくらべ、考案のアゼは前後斜めに２ケ所に、作土の中に差し込であるから、倒れたり、水が下をくぐったりしないし、何本もつなぎ設置も簡単ですきな面積の広さに、水位を調節出来る。
２、考案の材質は、ウレタンか、ポリエステルかで軽く耐久性のあるもので作れば長く使用出来ると思います。
【施工法】
【０００４】考案のアゼ平を上の頂上を押さえ、水田の中え差し込み、作土の表面から、５ｃｍ前後出た位にして、水を張りこむ。
【取り外し方】
【０００５】設置した時は、考案のアゼ平を先に入れた物の、端の方に、上から重ねて設置されて居るから、外す時は、後から入れたものから、一本ずつ外す。
【保存】
【０００６】何枚も重ね保存出来る、保存場所も少なくて済む。
【図面の簡単な説明】
【０００７】      図面は１０分の１【図１】  考案のアゼ平を水田の田圃に設置した図です、一本を１ｍにして表して居ます、これを２〜３ｍの物でもよいと思います。
【図２】  側面図です、
【図２−１】  小さくわかりにくいものですから、実の寸法で表す。つなぎ部分の溝の位置と、大きさ及び、溝の深さと、つなぎ合わせた時の図です。
【図３】  平面図でアゼ平を上から見た図。
【図４】  直角の物の平面図です。（つなぎ用に使用）
【図４−１】  この図は寸法が決めて有りません  アゼ平のまっすぐな物と、直角のつなぎの物を使い、田圃の作土が少し高低差のある水田の、水面を管理して居る図です。
【符号の説明】
【０００８】
【図１】
１・考案のアゼ平の一本の長さは１ｍとしている。
２・水があぜの上を乗り越えて、低い方に流れ落ちる高さです、なを作土と水の水面の高さは、５ｃｍ前後。
３・考案のアゼ平を、水田の作土の中に、差し込む深さで、約１５ｃｍ。
４・あぜをつないで設置する時の溝です、溝は両端に付けておけば、どちら側にでもつげる。５・角度４０°６・低い方の水面。
７・アゼ平の頂上部で、巾は２ｃｍ。８・頂上部に直径２ｃｍほどの穴をあけ一本に３〜４ケ所もうける、空気と水を抜くもので、あぜの浮き上がりを防ぐためです。
【図２】
１・アゼ平の側面で、高さは２０ｃｍ。２・頂上部で、巾２ｃｍ。
３・角度で、４０°。４・底の広さ、１５ｃｍ位。
【図２−１】
実物の寸法でつなぎ部を描く、
Ａ・始めに設置した、アゼ平の部分。Ｂ・つぎたす部分です。
Ｃ・つぎたし重なった部分を表す、６ｃｍです。Ｄ・溝から端まで２ｃｍです。Ｅ・溝の巾で２ｃｍです。Ｆ・溝の深さ１ｃｍです。
【図３】
１・あぜの頂上部の穴。２・あぜ一本の長さ、１ｍにしている。
４・あぜの頂上部の巾は２ｃｍ。３・つなぎ部分です。
【図４】
直角のものの平面図
１・５０ｃｍ。２・つなぎ溝の位置。３・空気、水抜きの穴の位置。
【図４−１】
Ａ・田圃の作土の高い方。Ｂ・低いほう。Ｃ・直角のものを使い水田の水管理をして居るものです。
【図１】
0003118967.tif 000003
【図２】
0003118967.tif 000004
【図２−１】
0003118967.tif 000005
【図３】
0003118967.tif 000006
【図４】
0003118967.tif 000007
【図４−１】
0003118967.tif 000008
【手続補正書】
【提出日】平成17年6月30日(2005.6.30)
【手続補正１】
【補正対象書類名】実用新案登録請求の範囲
【補正対象項目名】全文
【補正方法】変更
【補正の内容】
【実用新案登録請求の範囲】
【請求項１】
水田の水面調整用のアゼ平
田圃の作土の面が少し高低差があり、均等の良くない水田では、同じ一枚の田圃でも、低い方は田植を終えた苗が、水で隠れる程にしても、高い方ではまだ水が溜まらないような状態を、どちら側の水位も一定に保ために、現在は（あぜ波・アゼシ−ト波）とゆうものを設置して調整して居ますが、田圃にある程度水が溜まると、この設置したアゼシ−トに水の圧力が加わり、水が下を潜り抜けたり、又は倒したり、風で倒されたりして、なかなかうまく行かないので、それで水の圧力をあまり受けずに、倒れたり、下を潜り抜けたりしない方法がないかと、考えてみました。
それで考案の、水田の水面調整用アゼ平ですが、田圃に設置した状態の側面図にあたるもので説明すれば、角度４０度で、二等辺三角形で、頂点から二辺を下へ下がり、アゼ平の頂上部で巾２ｃｍになる所で、上の方を無くし、そこから両側面を２０ｃｍとして底辺は（１５、６ｃｍ）の底の部分を無くし、アゼ平一本の長さを、１００ｃｍとして居ますが、（２００〜３００ｃｍ）のものでもよいと思いますが、これを何本も繋ぎ合わせて設置しますが、このアゼ平を作る材質ですが、なるべく軽くて丈夫な、ウレタンかポリエステルのようなもので作れば、永く使えると思います。
この考案のアゼ平を設置するには、田植を終えた田圃にある程度、水を入れて見て、田圃の面の高低があって、水面が一定に保てないと思われる所に設置します、田植後の柔らかい田圃の面に、アゼ平の三角の二側面を、上から押さえ土の中へ差し込み、田圃の面と水面の差を保ちたい、５ｃｍ前後を面から出した状態で、何本も繋ぎ合わせて、水が保てないと思われる部分を囲み込み設置して、水をはり込むと、田圃の面から出した部分まで水が溜まると、設置したアゼ平の頂上部を乗り越えて、低い方に流れ、水の圧力もあまり加わらず、これは両側面を互いに斜めに差し込んであるから、倒れたり水が下を潜ったりせず、一枚の田圃の高い方の水位と、低い方の水位を安定して管理が出来る、水田の水面調整用のアゼ平です。
【請求項２】
水田の水面調整用アゼ平の繋ぎ合わせ用の溝
高低差がある一枚の田圃を管理をするには、考案のアゼ平を何本も繋ぎ、設置する時に、必要になる繋ぎ用の溝と、その溝にはめ込み、あぜ平どうしを繋ぎ合わせる部分です、それで繋ぎ溝は一本の両端に設けて、繋ぐ時は左右どちら側を使っても繋げるようにする、そして溝の方ですが、アゼ平の両側面の表側で、端から２ｃｍ入った所に溝の巾２ｃｍで、溝の深さ１ｃｍの逆三角形で、この溝にはめ込む方は、アゼ平の両側面の裏側で、溝の裏になりままが、この出っ張り部分です。
それで繋ぎ合わせる時は、両端が同じ溝ですから、まず一本の右端の溝に、もう一本の左端の方の、溝の裏側にあたる出っ張りの方を、上からかぶせて繋ぎ合わせます、（なを製品の素材の厚さにより、溝の寸法も微妙に少し違ってくると思います）この方法で色々な田圃に合わせて設置し、水田の水面調整を行なう、繋ぎ合わせ用の溝です。
【請求項３】
水田の水面調整用アゼ平の頂上部の穴
考案のアゼ平の頂上部に空気と水を抜く穴で。これは設置したアゼ平の浮き上がりを、防止する目的のものです。
それで頂上部の巾は２ｃｍで、穴は直径２ｃｍの円形の穴で、一本の長さを、１００ｃｍとしたもので三箇所を設け、（２００ｃｍのものでは六箇所にする）そしてこの穴の間隔は、一本の長さ１００ｃｍのもので、真ん中の５０ｃｍの所と、真ん中から左右４０ｃｍの所にします、このアゼ平の頂上部の穴は、水田に設置する時と、設置した後にも、常時内側からの圧力を抜けさすのに必要なあぜ平の頂上部の穴です。
【請求項４】
水田の水面調整用アゼ平の直角のもの
考案のアゼ平の頂角のものを使用して、いろんな広さの面積に設置する時に使うものです、この直角ものは、一本１００ｃｍのものを、直角に折り曲げた形のものです。
これは一辺を５０ｃｍ位とし、繋ぎ部分は他のアゼ平と同じくし、両端に設けて真っすぐのものと、どちら側とでも繋げる用にする、頂上部の穴は他のものと同一で、穴は一辺には２箇所にし、端から１０ｃｍ入った所と、その位置から３０ｃｍの所です、そして直角のアゼ平一個には４箇所になる、これを真っすぐのものと繋ぎ合わせて、いろんな形の面積にも設置出来る、水田の水面調整用アゼ平の直角のものです。
【手続補正２】
【補正対象書類名】明細書
【補正対象項目名】０００７
【補正方法】変更
【補正の内容】
【０００７】
【図１】    設置図    図面は１０分の１  考案の、水田の水面調整用の、アゼ平を田植後の、田圃に設置したものを、描いてい居ます、そして一本の長さを、１ｍにして表して居ますが、（２〜３ｍ）のもでもよいと思います。
【図２】    側面図    図面は２分の１  考案の、水田の水面調整用のアゼ平の、側面を表し、そして田圃に設置し、水の流れる方向と、アゼ平の頂上を乗り越えて、低い方に流れ落ちる所を、表しています。
【図２−１】    繋ぎ溝の部分図    図面は実物大  考案のアゼ平どうしを、繋ぎ合わせ設置するのに、必要な溝の部分を表し、そしてこの溝に、はめ込む方も、表して居ます、図のＡの方は、アゼ平の一本の右端の溝の部分を表し、図のＢの方は、もう一本の方の左端の方を、上からかぶせるようにして、繋ぎ合わせるものを表して居ます、なを一本の両端に設けてあるから、どちら側を使っても繋げるものです。
【図３】    アゼ平の頂上部の、一部の図    図面は実物大  考案のアゼ平の頂上部の、一本の右端の一部を表しています、そして右端から２ｃｍ入った所から、溝の巾２ｃｍ、両側面の溝の深さ１ｃｍを表し、右端から１０ｃｍ入った所に直径２ｃｍの空気と水抜きの穴をを表した図です。
【図４】    アゼ平の直角のものの、一部の平面図    図面は２分の１  考案のアゼ平の、一本のものを直角に曲げたものを表して居ます。
【手続補正３】
【補正対象書類名】明細書
【補正対象項目名】０００８
【補正方法】変更
【補正の内容】
【０００８】（図２）
１・角度は４０度。
２・頂上部で巾２ｃｍ。
３・底の部分で１５．６ｃｍで、底は無くする。
４・地面に差し込む深さで、１５ｃｍ前後にする。
５・地面の面から出す部分で、５ｃｍ前後にする。
６・田圃の面。
７・水面で、水の流れる方向と、頂上部を乗り越え、低い方に流れるものを表す。
８・田圃の低い方の水面。
９・田圃の低い方の面。
（図２−１）
Ａ・アゼ平の一本の右端で、側面の表側の、溝を表しています。
Ｂ・アゼ平の一本の左端で、側面の裏側の、出っ張り部分を、上からはめ込む方。
１・端から２ｃｍ入る。
２・溝の巾２ｃｍ。
３・溝の深さ１ｃｍ。
（図３）
１・アゼ平の頂上部で、巾２ｃｍ。
２・右端から２ｃｍ。
３・溝の巾２ｃｍ。
４・溝の深さ１ｃｍ。
５・右端から１０ｃｍ。
（図４）  アゼ平の直角のものの、一部の平面図    図面は２分の１
１・アゼ平の一辺の底の長さで、５７、８ｃｍ。
２・符号１と同じで、５７、８ｃｍ。
３・アゼ平の頂上部の巾で、２ｃｍ。
４・頂上部から底部分、６、８ｃｍ。
５・符号４と同じで、６、８ｃｍ。
６・端から２ｃｍ。
７・繋ぎ溝の巾２ｃｍ。
８・３０、４ｃｍ。
９・端から１０ｃｍ入った所で、空気と水抜き穴。
１０・３０ｃｍ。
１１・１０ｃｍ。
１２・１０ｃｍ。
【手続補正４】
【補正対象書類名】図面
【補正対象項目名】全図
【補正方法】変更
【補正の内容】
【図２】
0003118967.tif 000009
【図２−１】
0003118967.tif 000010
【図３】
0003118967.tif 000011
【図４】
0003118967.tif 000012
【手続補正書】
【提出日】平成17年11月4日(2005.11.4)
【手続補正１】
【補正対象書類名】実用新案登録請求の範囲
【補正対象項目名】全文
【補正方法】変更
【補正の内容】
【実用新案登録請求の範囲】
【請求項１】
長手方向断面が山型に形成された本体と、前記本体頭頂部に長手方向に等間隔に複数設けられた空気抜き穴と、前記本体の長手方向の両端部近傍に設けられた連結部とを備えたことを特徴とする畦平。
【請求項２】
前記連結部は、断面がＶ字状に形成され、互いの前記連結部の表側と裏側をそれぞれ重ね合わせて、嵌合可能に形成されていることを特徴とする請求項１記載の畦平。
【請求項３】
前記空気抜き穴は、前記本体の頭頂部に形成されていることを特徴とする請求項１または２記載の畦平。
【請求項４】
一端部が幅方向に斜め４５°に切断された端面を備えた前記本体を形成し、前記端断面同士を結合し一体に形成して成ることを特徴とする請求項１記載の畦平。 
【手続補正２】
【補正対象書類名】明細書
【補正対象項目名】全文
【補正方法】変更
【補正の内容】
【考案の詳細な説明】
【技術分野】
【０００１】  この考案は、水田の土壌を区切る際に使用される畦平に関する。
【背景技術】
【０００２】  従来、水田の土壌は、耕作面に高低差が発生しないように耕し、代かきが行われている。しかし、水田の立地状況によっては、水田内の土壌に高低差が生じることがある。土壌に高低差が生じて、水が偏り、均一な水深にならない場合は、土壌の高い所と低い所を区切り、水深がそれぞれほぼ均一になるように土を盛り上げて畦を作る方法が良く知られている。【０００３】  この畦作りは、作業が面倒なうえ、効率も良くないものであった。そのため、近年、この作業をより容易に行うため、一般に、畦波や畦平が区切り部材として使用され、水田の水面が区切られている。畦波は、一定の幅の樹脂製の波状板から形成され、ロール状に巻き取り可能なものである。また、畦平は、畦波と同程度幅で、表面が平坦に形成されたものである。
【考案の開示】
【考案が解決しようとする課題】
【０００４】  しかし、上記従来の畦波は、水田に、幅方向の半分以上を埋設して立設させても、風により水田の水面が波立つと、波に叩かれて次第に傾き、土壌が水分により緩むと、所々倒れたたりするなど不安定なものであった。そのほか、片側に水量が多くなると、水圧に押されて傾き、その水が畦波を乗り越えたりすると、溢れた水により倒れて水面に浮いたりする問題があった。また、畦平も畦波と同様に、薄い樹脂等で形成され、波状でもないため、水田の土壌に安定して立設させることは難しいものであった。【０００５】  この考案は、上記従来の技術に鑑みて成されたもので、安定に確実に水田に固定することができ、水面が波立っても傾いたり倒れたりせず、溢れた水により浮き上がりなどがなく、安定に水田を区切ることができる畦平を提供することを目的とする。
【課題を解決するための手段】
【０００６】  この考案は、長手方向断面が山型に形成された本体と、前記本体頭頂部に、長手方向に等間隔に複数設けられた空気抜き穴と、前記本体の長手方向の両端部近傍に設けられた連結部とを備えた畦平である。【０００７】  前記連結部は、断面がＶ字状に形成され、互いの前記連結部の表側と裏側をそれぞれ重ね合わせて、嵌合可能に形成されている。また、前記空気抜き穴は、前記本体の頭頂部に形成されている。【０００８】  さらに、一端部が幅方向に斜め４５°に切断された端面を備えた前記本体を形成し、前記端断面同士を結合し一体に形成して成る形状でも良い。
【考案の効果】
【０００９】  この考案の畦平によれば、水田の水面が波立っても傾いたり、倒れたりしないものである。また、一方から水が溢れて乗り越えても浮き上がったりすることがなく、安定性を有し、確実に水田を区切り、それぞれの水位の維持管理が正確にできるものである。
【考案を実施するための最良の形態】
【００１０】  以下、この考案の畦平の一実施形態について、図１〜図４に基づいて説明する。この実施形態の畦平１０は、水田１２の耕地を区切る仕切り部材として使用されるものである。この実施形態の畦平１０は、図１（ａ）（ｂ）に示すように、樹脂などにより形成され適度な厚みの長板が、山型に折り曲げられて、本体１４が形成されている。本体１４の長手方向断面形状は、適宜な幅で平坦な頭頂部１４ａが形成され、山型の２斜辺が等辺になるように形成されている。折り曲げ角度は、２斜辺の延長上で交差し形成される角度が、例えば、約４０°程度であれば良い。この本体１４の頭頂部１４ａには、本体１４の長手方向へ等間隔に、複数の空気抜き穴１６が設けられている。この空気抜き穴１６は、本体１４裏側へ貫通している。【００１１】  また、本体の長手方向両端部には、端部と平行で、断面がＶ字溝状の連結部１８がそれぞれ設けられている。この連結部１８は、図２に示すように、２つの本体１４を、それぞれの端部に設けられた連結部１８の表側と裏側を重ね合わせることにより嵌合可能な形状に形成されている。【００１２】  次に、この実施形態の畦平１０の使用方法について説明する。図３に示すように、水田１２の高低差のある境界付近に、畦平１０の短手方向の両端部を適宜埋設する。この際、例えば、水田１２の土壌表面から約５ｃｍ程度露出する状態に埋設するとよい。また、畦平１０の頭頂部１４ａが水平になるように埋設するとよい。さらに、区切る距離が長い場合は、距離に合わせて複数の畦平を連結部１８により、嵌合させ連結して使用すると良い。そして、水田１２に水を入れると、図４に示すように、畦平１０を境界として異なる水位を維持して水が張られる。【００１３】  この実施形態の畦平１０によれば、水田１２の水面が波立っても、短手方向の両端がしっかり土壌に埋設されているため、傾いたり、倒れたりしないものである。また、一方から水が溢れて乗り越えても、浮き上がることが無く、安定性を有するものである。さらに、畦平１０内部に水が浸透して内部の水位が変化しても、空気抜き穴１６から、畦平１０内部の空気が出入りして浮き上がりが防止されるものである。そのほか、畦平１０の端部に形成された連結部１８により、区切る場所に合わせて、適宜連結して、長さを変えることができるものである。【００１４】  また、図５に示すように、２つの本体１４を、直角を成すように結合させ一体に形成された畦平１０と、図１に示す直線状の畦平１０と組み合わせて連結部１８により連結しても良い。すると、図６に示すように、広い水田１２を区切る際に、適宜な形状に区切ることができるものである。さらに、図５に示す畦平１０は、直角方向に互いに延びた形状に形成されているため、水面の変化に強く、より安定して設置できるものである。【００１５】  なお、この考案の畦平は上記実施形態に限定されるものではなく、畦平の高さや長さは、適宜設定可能なものである。また、畦平の素材は、水田の環境に耐えうるものであれば、適宜変更可能なものである。
【図面の簡単な説明】
【００１６】
【図１】この考案の一実施形態の畦平を示す平面図（ａ）と、側面図（ｂ）である。
【図２】この実施形態の畦平の連結部により連結された状態を示す部分拡大図である。
【図３】この実施形態の畦平を設置した際の縦断面図である。
【図４】この実施形態の畦平の使用状態を示す概略斜視図である。
【図５】この実施形態の畦平の変形例を示す平面図（ａ）と、側面図（ｂ）である。
【図６】この実施形態の畦平を設置し、水田を区切った状態を示す概略平面図である。
【符号の説明】
【００１７】１０  畦平１４  本体１４ａ  頭頂部１６  空気抜き穴１８  連結部 
【手続補正３】
【補正対象書類名】図面
【補正対象項目名】全図
【補正方法】変更
【補正の内容】
【図１】
0003118967.tif 000013
【図２】
0003118967.tif 000014
【図３】
0003118967.tif 000015
【図４】
0003118967.tif 000016
【図５】
0003118967.tif 000017
【図６】
0003118967.tif 000018